(57)【要約】【課題】外部表示装置２０５の非接続時、すなわち液晶表示部２０３のみでの視聴時に、必要以上のドライブ電流を流してしまっているため、機器の消費電力が増大していた。【解決手段】映像表示手段として液晶表示装置を持ち、同時に７５Ωの入力インピーダンスを持つ一般のＴＶ機器等の表示装置をも外部に接続できる映像機器において、外部表示装置の接続の有無を検出する手段および表示装置を駆動するビデオドライバーのドライブ電流の値を切り換える手段を備え、その検出情報により、最適なドライブ電流値を選択できるようにしたことを特徴とし、その効果としては外部表示装置非接続時、すなわち液晶表示装置のみでの視聴時において機器の消費電力を低減することが可能となる。【選択図】図１
2005141060.tif 000002
【特許請求の範囲】
【請求項１】
映像信号を表示する表示手段を内蔵するとともに、前記映像信号を外部出力が可能な映像出力装置であって、映像信号を前記表示手段に表示するよう制御する表示制御手段と、映像信号を外部に出力するとともに外部表示装置が接続可能な出力手段と、前記表示制御手段と前記出力手段に接続された外部表示装置とを駆動する駆動手段とを備え、前記出力手段は、前記外部表示装置の接続／未接続状態を検出し、その検出結果に基づき前記駆動手段の動作を制御することを特徴とする映像出力装置。
【請求項２】
駆動手段は、出力手段が外部表示装置の未接続状態を検出すると、表示制御手段のみ駆動するよう制御することを特徴とする請求項１記載の映像出力装置。
【請求項３】
駆動手段は、表示制御手段と出力手段に接続された外部表示装置とが駆動可能な駆動電流を出力するものであり、前記出力手段が外部表示装置の未接続状態を検出すると、前記表示制御手段を駆動可能な駆動電流のみを出力することを特徴とする請求項１記載の映像出力装置。
【請求項４】
映像表示手段として７５Ωの入力インピーダンスを持つ一般のＴＶ機器等の表示装置を外部に接続でき、その外部表示装置の接続の有無を検出する手段および表示装置を駆動するビデオドライバーのドライブ電流の値を切り換える手段を備え、その検出情報により、最適なドライブ電流値を選択できるようにしたことを特徴とする映像出力装置。
【発明の詳細な説明】
【技術分野】
【０００１】
本発明は、映像を表示可能及び外部出力可能な映像出力装置に関するものであり、例えば、液晶表示装置を持ち、同時に７５Ωの入力インピーダンスを持つ一般のＴＶ機器等の表示装置をも外部に接続できる映像機器に関するものである。
【背景技術】
【０００２】
一般に映像出力部を持つ映像機器（例えばディスクプレーヤ）は、その映像出力部において、後に接続される映像表示装置（例えばテレビジョン受像機）に映像信号を送り込み、駆動するビデオドライバーを有する。
【０００３】
図７は従来の映像出力装置の一例として液晶表示デバイスを備えた携帯型のディスクプレーヤの外観を示す斜視図である。図７において、６００は２つの筐体よりなり折り畳み自在な構造を有する本体、６０１は本体６００の一方の筐体側に設けられ映像信号などを表示する表示部で、本構成では液晶表示デバイスとしたが、有機ＥＬデバイスなどのように他の表示デバイスであっても構わない。６０２は本体６００の他方の筐体側に設けられディスクなどの記録媒体を挿入可能な記録媒体装着部で、一般的には蓋が配されており蓋を開いて内部に記録媒体を装着可能となっている。なお、本実施の形態ではディスクプレーヤを一例として説明しているため記録媒体はディスクとしたが、これに限定されるものではなくテープカセットや半導体メモリであっても構わない。６０３は本体６００の他方の筐体側面に配され映像信号や音声信号や各種情報信号の入出力が可能な端子で、入力端子や出力端子から構成されている。なお、本構成の説明のためには、少なくとも映像信号を出力可能な映像出力端子を備えていればよい。さらに端子６０３は他方の筐体の側面に設けているが、必ずしも側面である必要はなく、さらに他方の筐体ではなく一方の筐体側であっても構わない。６０４は各種操作が可能な操作部である。
【０００４】
図７に示すような映像出力端子を持つディスクプレーヤは、その映像出力端子において、端子に接続される映像表示装置（例えばテレビジョン受像機）に映像信号を送り込み、駆動するためのビデオドライバーを有する。これに関しては、従来よりいろいろな構成が存在するが、その最も簡単で基本的な一回路例を説明する。
【０００５】
図５は従来の映像出力装置における映像出力端子近傍の回路構成を示す回路図である。図において、１０２はディスクなどの記録媒体から再生された映像信号が入力される入力端子、１０１は入力端子１０２から入力された信号の電圧を増幅する前段電圧増幅部、１０３は本回路から最終的に映像信号が出力される出力端子で、図７における端子６０３の映像出力端子に相当する。Ｑ１はビデオドライバーの最終段のトランジスタであり、そのコレクタにＤＣ成分をカットするためのコンデンサＣ１を通して外部映像表示装置（テレビジョン受像機）の映像入力部が接続される。具体的には、本装置とテレビジョン受像機とを信号線（例えば映像ケーブル）で接続するわけであるが、テレビジョン受像機の映像入力端子に映像ケーブルの一方の端子を接続し、他方端子は映像出力端子１０３に接続されることとなる。また、Ｑ１のコレクタには自己のコレクタ電流すなわちドライバー電流の値を決めるＱ２、Ｑ３，Ｒ２からなる定電流回路１０４も接続されている。なお、ドライバー電流の値はＲ２の抵抗値で調整することができる。
【０００６】
ところで一般に、個別の独立した映像機器間の接続においては、互いのマッチングのため、７５Ωインピーダンスで信号を受け渡すことが標準として決められており、従って、一般のＴＶ機器の映像入力部の入力インピーダンスは７５Ωとなっている。よって、それを駆動するビデオドライバーの最終段トランジスターＱ１にはその７５Ω負荷をドライブするに足る電流を流している。
【０００７】
次に、映像表示手段として液晶表示装置を持ち、同時に７５Ωの入力インピーダンスを持つ一般のＴＶ機器等の表示装置をも外部に接続できる映像機器、一例としてポータブルＤＶＤプレーヤーの映像出力部のブロック構成を図６に示す。図において、２０１は映像信号を表示するために映像出力端子２０４に接続された外部表示装置２０５及び液晶ドライブ回路２０２を駆動するビデオドライバー、２０２はビデオドライバー２０１からの映像信号を液晶表示部２０３に表示するために液晶表示部２０３を駆動制御する液晶ドライブ回路、２０３は液晶ドライブ回路２０２からの駆動制御により映像信号などを表示する液晶表示部、２０４は映像信号を外部へ出力するための映像出力端子、２０５は映像出力端子２０４に接続され映像出力端子２０４から出力される映像信号を表示する外部表示装置で、例えばテレビジョン受像機に相当する。
【０００８】
ここで、映像出力端子２０４に外部表示装置２０５を接続しない場合を考えると、ビデオドライバー２０１の負荷としては液晶ドライブ回路２０２のみとなる。この時、ビデオドライバー２０１より液晶ドライブ回路２０２への映像信号の受け渡しは機器内部間で行なわれることに限定されたものであるため、必ずしも互いに７５Ωマッチングにこだわる必要はなく、液晶ドライブ回路２０２としては高入力インピーダンスで信号を受ければ良い。従ってこの場合、ビデオドライバー２０１の負荷は軽く、ドライブ電流は少なくて済む。
【０００９】
それにもかかわらず通常は、外部表示装置２０５の接続の有無にかかわり無く、ビデオドライバー２０１の最終段トランジスターには常に外部表示装置接続を前提としたドライブ電流を流している。
【特許文献１】特開平１０−３６２５０２号公報
【発明の開示】
【発明が解決しようとする課題】
【００１０】
しかしながら上記従来の構成では、外部表示装置２０５の非接続時、すなわち液晶表示部２０３のみでの視聴時に、必要以上のドライブ電流を流してしまっているため、機器の消費電力を増大していたという問題点があった。さらに携帯型ディスクプレーヤなどのように、電池で駆動する機器においては、消費電力を増大させることで、連続使用時間が短くなり実用性を低下させてしまうという問題を有していた。
【００１１】
本発明は、上記問題点に鑑み、外部表示装置接続の有無を検出し、それに応じてドライブ電流を最適な値に切り換えることで、外部表示装置非接続時、すなわち液晶表示装置のみでの視聴時に機器の消費電力を低減することができる映像出力装置を提供することを目的とする。
【課題を解決するための手段】
【００１２】
この目的を達成するために本発明の映像出力装置は、映像信号を表示する表示手段を内蔵するとともに、前記映像信号を外部出力が可能な映像出力装置であって、映像信号を前記表示手段に表示するよう制御する表示制御手段と、映像信号を外部に出力するとともに外部表示装置が接続可能な出力手段と、前記表示制御手段と前記出力手段に接続された外部表示装置とを駆動する駆動手段とを備え、前記出力手段は、前記外部表示装置の接続／未接続状態を検出し、その検出結果に基づき前記駆動手段の動作を制御するものである。
【００１３】
これにより、外部表示装置接続の有無を検出し、それに応じてドライブ電流を最適な値に切り換えるようにしたので、外部表示装置非接続時、すなわち液晶表示装置のみでの視聴時に機器の消費電力を低減することができる。
【発明の効果】
【００１４】
以上のように本発明は、外部表示装置非接続時、すなわち液晶表示装置のみでの視聴時に機器の消費電力を低減する効果がある。特に、携帯型ディスクプレーヤなどのように、電池で駆動する機器においては、消費電力を低減することができ、連続使用時間を長くすることができる。
【発明を実施するための最良の形態】
【００１５】
本発明の請求項１〜４に記載の発明は、映像信号を表示する表示手段を内蔵するとともに、前記映像信号を外部出力が可能な映像出力装置であって、映像信号を前記表示手段に表示するよう制御する表示制御手段と、映像信号を外部に出力するとともに外部表示装置が接続可能な出力手段と、前記表示制御手段と前記出力手段に接続された外部表示装置とを駆動する駆動手段とを備え、前記出力手段は、前記外部表示装置の接続／未接続状態を検出し、その検出結果に基づき前記駆動手段の動作を制御するものであり、これにより、外部表示装置非接続時、すなわち液晶表示装置のみでの視聴時に機器の消費電力を低減する効果がある。
【００１６】
以下、本発明の実施の形態について、図面を用いて説明する。
【００１７】
（実施の形態１）
まず、図７は映像出力装置の一例として液晶表示デバイスを備えた携帯型のディスクプレーヤの外観を示す斜視図である。図７において、６００は２つの筐体よりなり折り畳み自在な構造を有する本体、６０１は本体６００の一方の筐体側に設けられ映像信号などを表示する表示部で、本構成では液晶表示デバイスとしたが、有機ＥＬデバイスなどのように他の表示デバイスであっても構わない。６０２は本体６００の他方の筐体側に設けられディスクなどの記録媒体を挿入可能な記録媒体装着部で、一般的には蓋が配されており蓋を開いて内部に記録媒体を装着可能となっている。なお、本実施の形態ではディスクプレーヤを一例として説明しているため記録媒体はディスクとしたが、これに限定されるものではなくテープカセットや半導体メモリであっても構わない。６０３は本体６００の他方の筐体側面に配され映像信号や音声信号や各種情報信号の入出力が可能な端子で、入力端子や出力端子から構成されている。なお、本構成の説明のためには、少なくとも映像信号を出力可能な映像出力端子を備えていればよい。さらに端子６０３は他方の筐体の側面に設けているが、必ずしも側面である必要はなく、さらに他方の筐体ではなく一方の筐体側であっても構わない。６０４は各種操作が可能な操作部である。
【００１８】
上記構成において、まずディスクなどの記録媒体を記録媒体装着部６０２に装着し、操作部６０４を操作して記録媒体を再生状態にする。再生された映像信号は表示部６０１に表示され視聴することができる。一方、本体６００で再生した映像信号を、テレビジョン受像機などの外部表示装置にて表示する場合は、端子６０３の一部である映像出力端子に映像ケーブルを接続し、映像ケーブルの他端を外部表示装置に接続する。そして外部表示装置を外部入力モードにしたあと、操作部６０４を操作して記録媒体を再生状態にする。再生された映像信号は映像出力端子から映像ケーブルを介して外部表示装置に入力され、外部表示装置に映像信号を表示することができる。
【００１９】
図７に示すような映像出力端子を持つディスクプレーヤは、その映像出力端子において、端子に接続される映像表示装置（例えばテレビジョン受像機）に映像信号を送り込み、駆動するためのビデオドライバーを有する。
【００２０】
次に、本実施の形態の全体構成と流れを図１のブロック図で説明する。
【００２１】
図１において、３０１は映像信号を表示及び出力するために接続検出部３０４に接続された外部表示装置３０５及び液晶ドライブ回路３０２を駆動する駆動手段であるビデオドライバーで、詳細構成については図３を用いて後述する。３０２はビデオドライバー３０１からの映像信号を液晶表示部３０３に表示するために液晶表示部３０３を駆動制御する液晶ドライブ回路、３０３は液晶ドライブ回路３０２からの駆動制御により映像信号などを表示する液晶表示部で、本実施の形態では液晶表示としたが、有機ＥＬディスプレイなどのように他の表示デバイスであっても構わない。３０４は映像出力端子を兼ね備えており、映像信号を外部へ出力するための映像ケーブルのプラグが接続されたことを検出する出力手段である接続検出部で、検出結果は検出信号Ａとしてビデオドライバー３０１に入力される。詳細は図２を用いて後述する。３０５は接続検出部３０４に接続され接続検出部３０４から出力される映像信号を表示する外部表示装置で、例えばテレビジョン受像機に相当する。なお、外部表示装置はテレビジョン受像機に限るものではなく、一般にパーソナルコンピュータの表示装置として用いられるＣＲＴモニターであっても構わない。
【００２２】
機器の外部表示装置接続部には外部表示装置接続の有無を検出する機能を備え、その接続検出部３０４で得られた情報は、検出信号としてビデオドライバー３０１に送られる。ビデオドライバー３０１においてはその情報をもとにドライブ電流を切り換える機能を備え、外部表示装置接続の有無に応じた最適のドライバー電流を選択する。
【００２３】
次に外部表示装置接続の有無を検出する外部出力部の具体的な例を図２に示す。図２の、４０１は機器間を接続する映像接続ケーブルのピンプラグであり、プラグの先端から根元にかけて映像信号端子４０１ａ、次にＧＮＤ端子４０１ｂが割り当てられた２極構造となっている。本実施の形態では２極のピンプラグとしたが、多極コネクタによる接続であってもよい。同図の、４０２はこのピンプラグ４０１が挿入される機器側の映像出力端子を回路図表記で示したものであるが、この端子もピンプラグ４０１の端子構造と同様に、信号側（端子４０２ｂ）、ＧＮＤ側（端子４０２ａ）との２極構造となっている。
【００２４】
ここで、映像出力端子４０２の端子４０２ａに現れる電圧値に注目すると、ピンプラグ４０１が映像出力端子４０２に挿入されていない場合は、この端子４０２ａはＲ３でプルアップされることにより電源電圧Ｖｃｃとなる。次に、ピンプラグ４０１が挿入された場合、端子４０２ａはピンプラグ４０１のＧＮＤ端子４０１ｂと接触することによりＧＮＤ電位となる。
【００２５】
なお、映像出力端子４０２にはピン挿入の有無を検出するための独立したスイッチ構造を持つものも存在し、それを同様の目的で使用することも可能である。
【００２６】
次に、上記の映像出力端子４０２に現れる検出情報を受取り、ドライバー電流の切り換えを行うビデオドライバー部３０１の具体的な例を図３に示す。
【００２７】
図３は本実施の形態の映像出力装置におけるビデオドライバー３０１の回路構成を示す回路図である。図において、５０１はディスクなどの記録媒体から再生された映像信号が入力される入力端子、５０２は入力端子５０１から入力された信号の電圧を増幅する前段電圧増幅部、５０３は本回路から最終的に映像信号が出力される出力端子で、図７における端子６０３の映像出力端子に相当する。Ｑ１はビデオドライバーの最終段のトランジスタであり、そのコレクタにＤＣ成分をカットするためのコンデンサＣ１を通して外部映像表示装置（テレビジョン受像機）の映像入力部が接続される。具体的には、本装置とテレビジョン受像機とを信号線（例えば映像ケーブル）で接続するわけであるが、テレビジョン受像機の映像入力端子に映像ケーブルの一方の端子を接続し、他方の端子は映像出力端子５０３に接続されることとなる。また、Ｑ１のコレクタには自己のコレクタ電流すなわちドライバー電流の値を決めるＱ２、Ｑ３，Ｒ２からなる定電流回路５０４も接続されている。なお、ドライバー電流の値はＲ２の抵抗値で調整することができる。図３において、従来技術である図５の構成と比べて、ドライバー電流切り換えのためにトランジスタＱ４，抵抗器Ｒ４を追加したものである。ここで前述の通り、ドライバー電流の値は、トランジスタＱ３のコレクタに接続されている抵抗値で調整することができるので、トランジスタＱ４をオンオフさせることによりその抵抗値を変え、結果としてドライバー電流の値を切り換えることができる。なお、Ｑ５は映像出力端子４０２からの検出信号の論理を合わせる目的で挿入したものである。
【００２８】
図４はピンプラグの挿入状態とビデオドライバー３０１におけるドライバー電流との関係を示す特性図である。図示のように、ピンプラグ未挿入状態（図のＸ軸におけるＰ１よりも左側）ではドライバー電流はｉ２となり、ピンプラグが挿入された状態（図のＸ軸におけるＰ１よりも右側）ではドライバー電流はｉ１となる。ｉ１とｉ２との関係は図示のようにｉ１＞ｉ２となっている。このように、ピンプラグの挿入状態と未挿入状態とで、ドライバー電流を増減させている。なお、ｉ２の電流値は少なくとも液晶ドライブ回路３０２を駆動可能な電流値で、ｉ１は液晶ドライブ回路３０２と接続検出部３０４に接続された外部表示装置３０５とを駆動可能な電流値に設定してある。
【００２９】
ここで、上記構成に基づき、具体的に動作を説明する。
【００３０】
まず図２において、ピンプラグ４０１が映像出力端子４０２に挿入されていない場合、図３における映像出力端子４０２からの検出信号５０５は電源電圧電位を示し、それをベースで受けるトランジスタＱ５はオフとなる。従って、トランジスタＱ４はオフのままであり、トランジスタＱ３のコレクタに接続される抵抗はＲ２のみとなる。この時のドライバー電流Ｉ１は低い値となり、液晶ドライブ回路３０２のみを駆動可能なものとなっている。これにより、ビデオドライバー３０１から出力された映像信号は、液晶ドライブ回路３０２により駆動制御される液晶３０３で表示することができる。
【００３１】
一方、ピンプラグ４０１が映像出力端子４０２に挿入されている場合、外部接続端子からの検出信号はＧＮＤ電位であるため、トランジスタＱ５及びＱ４共にオンとなり、トランジスタＱ３のコレクタに接続される抵抗はＲ２とＲ４の並列接続となる。その結果、ドライバー電流の値が増加する。増加したドライバー電流により、液晶ドライブ回路３０２とともに映像出力端子４０２から外部表示装置３０５へ映像信号を出力し表示することができる。
【００３２】
この時、ピンプラグ４０１を映像出力端子４０２に挿入していない状態と挿入している状態それぞれの電流値が、それぞれの場合において最低限必要とする値となるよう抵抗器Ｒ２、Ｒ４の抵抗値を決めてやれば良い。
【００３３】
以上のように本実施の形態によれば、映像出力端子４０２にピンプラグ４０１が接続されているか否かを接続検出部３０４で検出し、接続されていない場合は、ビデオドライバー３０１のドライブ電流を液晶ドライブ回路３０２のみを駆動可能とする電流まで減少させることにより、テレビジョン受像機などの外部表示装置を接続せずに液晶ディスプレイ３０３のみの使用時に、機器における不必要な消費電力を削減することができ、省電力化することができる。特に、電池で駆動するポータブルＤＶＤプレーヤーなどのような携帯型電子機器に使用した場合、連続使用時間を長時間化することができ、実用性を向上させることができる。
【産業上の利用可能性】
【００３４】
本発明の液晶表示装置を有するポータブル映像機器において、本発明による外部映像表示装置を接続しない場合の消費電力を低減させる手段は電池を主たる電力源とする本来のモバイル用途において電池駆動時間を延ばすことができるという点で有効である。さらに本発明は、少なくとも映像を表示する表示手段と映像出力手段とを有する機器に利用して有効なものであり、ＤＶＤプレーヤーの他、ポータブルタイプのパーソナルコンピュータ、携帯情報端末（ＰＤＡ）、デジタルカメラなどに利用できる可能性がある。
【図面の簡単な説明】
【００３５】
【図１】本発明の映像出力装置の実施の形態における映像出力端子近傍の構成を示すブロック図
【図２】同実施の形態における液晶付きポータブルＤＶＤプレーヤーの映像出力部のブロック図
【図３】同実施の形態におけるビデオドライバーの構成を示す回路図
【図４】同実施の形態におけるドライバー電流とピンプラグの接続との関係を示す特性図
【図５】従来の映像出力装置におけるビデオドライバーの構成を示す回路図
【図６】従来の映像出力装置の構成を示すブロック図
【図７】映像出力装置の一例であるポータブルタイプＤＶＤプレーヤの外観斜視図
【符号の説明】
【００３６】
３０１    ビデオドライバー
３０２    液晶ドライブ回路
３０３    液晶
３０４    接続検出部
【図１】
2005141060.tif 000003
【図２】
2005141060.tif 000004
【図３】
2005141060.tif 000005
【図４】
2005141060.tif 000006
【図５】
2005141060.tif 000007
【図６】
2005141060.tif 000008
【図７】
2005141060.tif 000009